(57)【要約】【課題】電子機器においてシャットダウン前の記憶媒体の引き抜きを避ける。【解決手段】電子機器は、着脱可能な記憶媒体１５を用いて所定の処理を行う制御部３１と、制御部３１を含む機器内部への通電オンと通電オフを切替る通電制御部３０と、記憶媒体１５の取り外しを阻止する位置と、記憶媒体１５の取り外しを阻止しない位置との間を移動して記録媒体１５の取り外しを制限する可動部材と、通電制御部３０によって通電オンされている場合に可動部材を記憶媒体１５の取り外しを阻止する位置に留める係止部材１６ｂと、を備える。【選択図】図３
2015040882.tif 000002
【特許請求の範囲】
【請求項１】
着脱可能な記憶媒体を用いて所定の処理を行う制御部と、
前記制御部を含む機器内部への通電オンと通電オフを切替る通電制御部と、
前記記憶媒体の取り外しを阻止する位置と、前記記憶媒体の取り外しを阻止しない位置との間を移動して前記記録媒体の取り外しを制限する可動部材と、
前記通電制御部によって前記通電オンされている場合に前記可動部材を前記記憶媒体の取り外しを阻止する位置に留める係止部材と、
を備えることを特徴とする電子機器。
【請求項２】
着脱可能な記憶媒体を用いて所定の処理を行う制御部と、
前記制御部においてオペレーションシステムプログラムが作動中か否かを判定する判定部と、
前記記憶媒体の取り外しを阻止する位置と、前記記憶媒体の取り外しを阻止しない位置との間を移動して前記記憶媒体の取り外しを制限する可動部材と、
前記判定部によって前記作動中が判定されている場合に前記可動部材を前記記憶媒体の取り外しを阻止する位置に留める係止部材と、
を備えることを特徴とする電子機器。
【請求項３】
請求項１または２に記載の電子機器において、
前記可動部材はさらに、着脱可能な電池の取り外しの制限を行い、
前記係止部材によって前記記憶媒体の取り外しを阻止する位置に留められている前記可動部材は、前記電池の取り外しを阻止する位置と、前記電池の取り外しを阻止しない位置との間を移動可能にされていることを特徴とする電子機器。
【請求項４】
請求項３に記載の電子機器において、
前記係止部材によって前記記憶媒体の取り外しを阻止する位置に留められていない前記可動部材は、前記電池の取り外しを阻止しない位置へ移動可能であることを特徴とする電子機器。
【請求項５】
請求項１または２に記載の電子機器において、
前記可動部材はさらに、着脱可能な電池の取り外しの制限を行い、
前記係止部材によって前記記憶媒体の取り外しを阻止する位置に留められている前記可動部材は、前記電池の取り外しを阻止することを特徴とする電子機器。
【請求項６】
請求項５に記載の電子機器において、
前記係止部材によって前記記憶媒体の取り外しを阻止する位置に留められていない前記可動部材は、前記電池の取り外しを阻止しないことを特徴とする電子機器。
【発明の詳細な説明】
【技術分野】
【０００１】
本発明は、電子機器に関する。
【背景技術】
【０００２】
着脱可能な電池を電源とし、着脱可能なメモリカードに情報を記録する電子機器において、シャットダウン前におけるメモリカードの引き抜きを防止する技術が知られている（特許文献１参照）。従来技術では、電池やメモリカードを収納する収納室の蓋に対するスライドロックレバーと、このスライドロックレバーの状態を検出するスイッチとが設けられ、収納室の蓋が開く前兆としてスライドロックレバーのロック外しが検出される。ロック外しを検出した電子機器は、メモリカードに対するアクセスを中止し、シャットダウン処理を行う。
【先行技術文献】
【特許文献】
【０００３】
【特許文献１】特開２００６−５０２５４号公報
【発明の概要】
【発明が解決しようとする課題】
【０００４】
従来技術では、スライドロックレバーと、ロック外しを検出するスイッチとが必要で、構造が複雑になるという問題がある。
【課題を解決するための手段】
【０００５】
（１）請求項１に記載の発明による電子機器は、着脱可能な記憶媒体を用いて所定の処理を行う制御部と、制御部を含む機器内部への通電オンと通電オフを切替る通電制御部と、記憶媒体の取り外しを阻止する位置と、記憶媒体の取り外しを阻止しない位置との間を移動して記録媒体の取り外しを制限する可動部材と、通電制御部によって通電オンされている場合に可動部材を記憶媒体の取り外しを阻止する位置に留める係止部材と、を備えることを特徴とする。
（２）請求項２に記載の発明による電子機器は、着脱可能な記憶媒体を用いて所定の処理を行う制御部と、制御部においてオペレーションシステムプログラムが作動中か否かを判定する判定部と、記憶媒体の取り外しを阻止する位置と、記憶媒体の取り外しを阻止しない位置との間を移動して記憶媒体の取り外しを制限する可動部材と、判定部によって作動中が判定されている場合に可動部材を記憶媒体の取り外しを阻止する位置に留める係止部材と、を備えることを特徴とする。
【発明の効果】
【０００６】
本発明による電子機器では、シャットダウン前の記憶媒体の引き抜きを適切に避け得る。
【図面の簡単な説明】
【０００７】
【図１】本発明の第一の実施形態によるデジタルカメラを例示する斜視図である。
【図２】蓋の内部を拡大した図である。図２(a)は電池およびメモリカードの双方の取り外しを阻止する位置を表す図、図２(b)はメモリカードのみの取り外しを阻止する位置を表す図、図２(c)は電池およびメモリカードの双方の取り外しを阻止しない位置を表す図である。
【図３】デジタルカメラの要部構成を例示するブロック図である。
【図４】本発明の第二の実施形態による蓋の内部を拡大した図である。図４(a)は電池およびメモリカードの双方の取り外しを阻止しない位置を表す図、図４(b)は電池およびメモリカードの双方の取り外しを阻止する位置を表す図、図４(c)はメモリカードのみの取り外しを阻止する位置を表す図である。
【図５】第三の実施形態の電池Ｂの外形を例示する図である。図５(a)は電池を上から見た図、図５(b)は電池を横から見た図である。
【図６】第三の実施形態によるデジタルカメラの蓋の内部を拡大した図である。図６(a)は電池がスロットへ装着された状態を表す図、図６(b)は電池がスロットから取り外されている状態を表す図である。
【発明を実施するための形態】
【０００８】
以下、図面を参照して本発明を実施するための形態について説明する。
（第一の実施形態）
図１は、本発明の第一の実施形態によるデジタルカメラ１０を例示する斜視図である。図１において、デジタルカメラ１０の背面に液晶モニタ１１が設けられ、デジタルカメラ１０の上面にレリーズボタン１２が設けられている。デジタルカメラ１０の右側面には、開閉可能な蓋１３が設けられている。
【０００９】
蓋１３の内部には、着脱可能な電池１４を装着するスロットと、着脱可能なメモリカード１５を装着するスロットとがそれぞれ設けられている。図１は蓋１３の開状態を表しており、電池１４およびメモリカード１５の双方が、それぞれのスロット内に装着されている。取り外し制限部材１６は、電池１４とメモリカード１５の取り外しを制限するための可動部材である。
【００１０】
本実施形態は、取り外し制限部材１６によるメモリカード１５の取り外し阻止機能に特徴を有するので、以降の説明は取り外し制限部材１６を中心に行う。
【００１１】
図２は、蓋１３の内部を拡大した図である。取り外し制限部材１６は、電池１４およびメモリカード１５の双方の取り外しを阻止する位置（図２(a)に例示）と、電池１４およびメモリカード１５の双方の取り外しを阻止しない位置（図２(c)に例示）と、の間で板状の可動部１６ａを移動させる。可動部１６ａは、例えば電磁アクチュエータ１６ｂ（図３）によって駆動される。
【００１２】
取り外し制限部材１６は、メモリカード１５のみの取り外しを阻止する位置（図２(b)に例示）において可動部１６を止めることもできる。すなわち、上記電磁アクチュエータ１６ｂが図２(b)に示す位置において可動部１６ａを係止する。
【００１３】
図３は、デジタルカメラ１０の要部構成を例示するブロック図である。図３において、デジタルカメラ１０は、操作部材２１と、液晶モニタ１１と、制御部３０と、撮像部２２と、電源部２３と、電磁アクチュエータ１６ｂと、を含む。
【００１４】
操作部材２１は、シャッターボタン１２を含むスイッチやボタン等で構成される。操作部材２１は、操作内容に応じた操作信号を制御部３０へ送信する。液晶モニタ１１は、制御部３０からの指示に応じて、画像やメニュー操作画面などを表示する。
【００１５】
制御部３０は、プログラム実行部３１と、不揮発性メモリ３２と、判定部３３とを含み、デジタルカメラ１０内の各部の動作を制御する。プログラム実行部３１は、操作部材２１からの操作信号に応じて所定のプログラムを実行する。プログラム実行部３１は、オペレーションシステム（ＯＳ）と呼ばれる基本プログラムを実行した上で、所定のアプリケーションプログラムを実行する。
【００１６】
不揮発性メモリ３２は、プログラム実行部３１で実行されるプログラムを格納する。制御部３０は、プログラムおよびプログラム実行の際に必要とするデータを、外部機器から図示しない通信部を介して制御部３０内へ取込み、不揮発性メモリ３２へ更新記憶、または追加記憶することが可能である。
【００１７】
判定部３３は、デジタルカメラ１０の状態を判定する。例えば、電源部２３から各部へ電力が供給される電源オン（通電）状態か、電源部２３から各部への電力供給が遮断される電源オフ状態かを判定する。また、判定部３３は、基本プログラムを実行中（基本プログラムを終了していないこと）か否かを判定する。
【００１８】
判定部３３はさらに、電池１４の端子電圧をモニタし、所定電圧以上が電源部２３へ印加されているか否かを判定する。判定部３３において所定電圧以上が判定されない場合、制御部３０は直ちに電源オフ処理（シャットダウン）を行う。デジタルカメラ１０は、電源オン状態にて電池１４が取り外されたとしても、少なくとも制御部３０が電源オフ処理を終えるまで、後述する電源部２３から制御部３０に対して電力供給が継続されるように構成されている。
【００１９】
撮像部２２は、制御部３０からの指示に応じて被写体像を撮像し、その画像データを制御部３０へ送る。制御部３０は、画像データに対して所定の画像処理を施し、画像処理後の画像データをメモリカード１５に記録する。
【００２０】
電源部２３は、電池１４の電圧をデジタルカメラ１０内の各部で必要な電圧へDC/DC変換し、変換後の電圧を各部へ出力する。電源部２３は、出力側に図示しないコンデンサを有している。仮に、電源オン状態において電池１４が取り外されたとしても、上記コンデンサに充電されている電荷が放電されることで、上記電源オフ処理に必要な電力供給が維持される。
【００２１】
電磁アクチュエータ１６ｂは、上述した可動部１６ａとともに取り外し制限部材１６を構成する。電磁アクチュエータ１６ｂは、制御部３０からの制御信号に応じて可動部１６ａを移動させる。
【００２２】
第一の実施形態の制御部３０は、上記電源オン状態（電源部２３からデジタルカメラ１０の各部へ電力供給される状態）であることが判定部３３によって判定された場合に、電磁アクチュエータ１６ｂへ制御信号を送り、可動部１６ａを図２(a)に例示する位置（電池１４およびメモリカード１５の双方の取り外しを阻止する位置）へ移動させる。
【００２３】
第一の実施形態の制御部３０は、上記電源オン状態であることが判定部３３によって判定されない場合に、電磁アクチュエータ１６ｂへ制御信号を送り、可動部１６ａを図２(c)に例示する位置（電池１４およびメモリカード１５の双方の取り外しを阻止しない位置）へ移動させる。
【００２４】
以上説明した第一の実施形態によれば、次の作用効果が得られる。
（１）デジタルカメラ１０は、着脱可能なメモリカード１５を用いて所定の処理を行うプログラム実行部３１と、プログラム実行部３１を含む機器内部への通電オンと通電オフを切替る制御部３０と、メモリカード１５の取り外しを阻止する位置と、メモリカード１５の取り外しを阻止しない位置との間を移動してメモリカード１５の取り外しを制限する可動部１６ａと、制御部３０によって通電オンされている場合に可動部１６ａをメモリカード１５の取り外しを阻止する位置に留める電磁アクチュエータ１６ｂと、を備えるように構成した。これにより、通電オンされていればメモリカード１５の取り外しが阻止されるので、安価な構成で、シャットダウン前のメモリカード１５の引き抜きを避け得る。
【００２５】
（２）上記（１）のデジタルカメラ１０において、可動部１６ａはさらに、着脱可能な電池１４の取り外しの制限を行い、電磁アクチュエータ１６ｂによってメモリカード１５の取り外しを阻止する位置に留められている可動部１６ａが、電池１４の取り外しを阻止する位置（図２(a)）と、電池１４の取り外しを阻止しない位置（図２(b)）との間を移動可能に構成される。このため、可動部１６ａは、ユーザー操作によって上記２つの位置の間を動かせる。これにより、例えば、外部からデジタルカメラ１０へ通電している場合には、メモリカード１５の引き抜きを避ける一方で、電池１４の交換を可能にし得る。
【００２６】
（３）上記（１）のデジタルカメラ１０において、電磁アクチュエータ１６ｂによってメモリカード１５の取り外しを阻止する位置に留められていない可動部１６ａが、電池１４の取り外しを阻止しない位置（図２(c)）へ移動可能に構成される。このため、可動部１６ａは、ユーザー操作によって動かせる。これにより、メモリカード１５の取り外しを阻止しない状態では、電池１４の交換を自由に行える。
【００２７】
（変形例１）
【００２８】
取り外し制限部材１６の可動部１６ａを移動させるタイミングを、第一の実施形態の場合と異ならせてもよい。変形例１の制御部３０は、上記電源オン状態か否かの判定結果に応じて電磁アクチュエータ１６ｂへ制御信号を送る代わりに、プログラム実行部３１において上記基本プログラムを実行中（基本プログラムを終了していないこと）か否かを判定した結果に応じて、電磁アクチュエータ１６ｂへ制御信号を送る。
【００２９】
具体的には、変形例１の制御部３０は、プログラム実行部３１で上記基本プログラムを実行中（基本プログラムを終了していないこと）であることが判定部３３で判定された場合に、電磁アクチュエータ１６ｂへ制御信号を送り、可動部１６ａを図２(a)に例示する位置（電池１４およびメモリカード１５の双方の取り外しを阻止する位置）へ移動させる。
【００３０】
また、制御部３０は、上記基本プログラムを実行中であることが判定部３３によって判定されない場合に、電磁アクチュエータ１６ｂへ制御信号を送り、可動部１６ａを図２(c)に例示する位置（電池１４およびメモリカード１５の双方の取り外しを阻止しない位置）へ移動させる。
【００３１】
変形例１によれば、次の作用効果が得られる。
（１）デジタルカメラ１０は、着脱可能なメモリカード１５を用いて所定の処理を行うプログラム実行部３１と、プログラム実行部３１においてオペレーションシステムプログラムが作動中か否かを判定する判定部３３と、メモリカード１５の取り外しを阻止する位置と、メモリカード１５の取り外しを阻止しない位置との間を移動してメモリカード１５の取り外しを制限する可動部１６ａと、判定部３３によって作動中が判定されている場合に可動部１６ａをメモリカード１５の取り外しを阻止する位置に留める電磁アクチュエータ１６ｂと、を備えるように構成した。これにより、オペレーションシステムプログラムを作動させていればメモリカード１５の取り外しが阻止されるので、安価な構成で、シャットダウン前のメモリカード１５の引き抜きを避け得る。一般に、オペレーションシステムプログラムの管理下にあるメモリが突然取り外されると、プログラム実行部３１の動作が不安定になるが、本実施形態によればこのような事態を防止できる。
【００３２】
（２）上記（１）のデジタルカメラ１０において、可動部１６ａはさらに、着脱可能な電池１４の取り外しの制限を行い、電磁アクチュエータ１６ｂによってメモリカード１５の取り外しを阻止する位置に留められている可動部１６ａが、電池１４の取り外しを阻止する位置（図２(a)）と、電池１４の取り外しを阻止しない位置（図２(b)）との間を移動可能に構成される。このため、可動部１６ａは、ユーザー操作によって上記２つの位置の間を動かせる。これにより、例えば、外部からデジタルカメラ１０へ通電してオペレーションシステムプログラムを作動させている場合には、メモリカード１５の引き抜きを避ける一方で、電池１４の交換を可能にし得る。
【００３３】
（３）上記（１）のデジタルカメラ１０において、電磁アクチュエータ１６ｂによってメモリカード１５の取り外しを阻止する位置に留められていない可動部１６ａが、電池１４の取り外しを阻止しない位置（図２(c)）へ移動可能に構成される。このため、可動部１６ａは、ユーザー操作によって動かせる。これにより、メモリカード１５の取り外しを阻止しない状態では、電池１４の交換を自由に行える。
【００３４】
（第二の実施形態）
第二の実施形態では、第一の実施形態の取り外し制限部材１６に代えて、可動部１７で構成される取り外し制限部材を備える。図４は、本発明の第二の実施形態によるデジタルカメラの蓋１３の内部を拡大した図である。図４(a)において、可動部１７は支点１７ａによって支持されている。ユーザーが可動部１７を所定値以上のトルクで回すと、図４(a)において一点鎖線で示す軌跡を描くように、可動部１７が支点１７ａの周りに回動する。なお、可動部１７が自重で回動しないように、支点１７ａにおいて摩擦力が付与されている。
【００３５】
可動部１７の軌道の中に、電池１４およびメモリカード１５の双方の取り外しを阻止する位置（図４(b)に例示）と、メモリカード１５のみの取り外しを阻止する位置（図４(c)に例示）と、電池１４およびメモリカード１５の双方の取り外しを阻止しない位置（図４(a)に例示）とが含まれる。
【００３６】
第二の実施形態では、支点１７ａの下方において、可動部１７の回動を妨げる位置（図４(b)、図４(c）に例示)と、可動部１７の回動を妨げない位置（図４(a)に例示)と、の間を移動する係止部材１８が設けられる。係止部材１８が可動部１７の軌道面より外へ突出した場合は、係止部材１８が可動部１７の回動を妨げる。係止部材１８が可動部１７の軌道面より内へ沈む場合は、該係止部材１８が可動部１７の回動を妨げない。係止部材１８は、例えば電磁アクチュエータ１６ｂ（図３）によって駆動される。
【００３７】
第二の実施形態の制御部３０は、上記電源オン状態（電源部２３からデジタルカメラ１０の各部へ電力供給される状態）であることが判定部３３によって判定された場合に、電磁アクチュエータ１６ｂへ制御信号を送り、係止部材１８を図４(b)、図４(c)に例示する位置（すなわち上記軌道面より突出する位置）へ移動させる。
【００３８】
ここで、可動部１７が図４(a)に示す位置にあるときは、係止部材１８が可動部１７に当接することから、制御部３０は係止部材１８を可動部１７に付勢させるに留まる。この場合、ユーザーが可動部１７を所定値以上のトルクで回すことによって可動部１７が図４(b)ないし図４(c)に示す位置へ回動すると、係止部材１８が上記軌道面より突出する。なお、係止部材１８が突出状態にあるとき、可動部１７は、電池１４およびメモリカード１５の双方の取り外しを阻止する位置（図４(b)に例示）と、メモリカード１５のみの取り外しを阻止する位置（図４(c)に例示）と、の間を移動可能である。
【００３９】
第二の実施形態の制御部３０は、上記電源オン状態であることが判定部３３によって判定されない場合には、電磁アクチュエータ１６ｂへ制御信号を送り、係止部材１８を図４(a)に例示する位置（上記軌道面より沈んだ位置）へ移動させる。
【００４０】
以上説明した第二の実施形態によれば、次の作用効果が得られる。
（１）デジタルカメラ１０は、着脱可能なメモリカード１５を用いて所定の処理を行うプログラム実行部３１と、プログラム実行部３１を含む機器内部への通電オンと通電オフを切替る制御部３０と、メモリカード１５の取り外しを阻止する位置と、メモリカード１５の取り外しを阻止しない位置との間を移動してメモリカード１５の取り外しを制限する可動部１７と、制御部３０によって通電オンされている場合に可動部１７をメモリカード１５の取り外しを阻止する位置に留める係止部材１８と、を備えるように構成した。これにより、通電オンされていればメモリカード１５の取り外しが阻止されるので、安価な構成で、シャットダウン前のメモリカード１５の引き抜きを避け得る。
【００４１】
（２）上記（１）のデジタルカメラ１０において、可動部１７はさらに、着脱可能な電池１４の取り外しの制限を行い、係止部材１８によってメモリカード１５の取り外しを阻止する位置に留められている可動部１７が、電池１４の取り外しを阻止する位置（図４(b)）と、電池１４の取り外しを阻止しない位置（図４(c)）との間を移動可能に構成される。このため、可動部１７は、ユーザー操作によって上記２つの位置の間を動かせる。これにより、例えば、外部からデジタルカメラ１０へ通電している場合には、メモリカード１５の引き抜きを避ける一方で、電池１４の交換を可能にし得る。
【００４２】
（３）上記（１）のデジタルカメラ１０において、係止部材１８によってメモリカード１５の取り外しを阻止する位置に留められていない可動部１７が、電池１４の取り外しを阻止しない位置（図４(a)）へ移動可能に構成される。このため、可動部１７は、ユーザー操作によって動かせる。これにより、メモリカード１５の取り外しを阻止しない状態では、電池１４の交換を自由に行える。
【００４３】
（変形例２）
係止部材１８を移動させるタイミングを、第二の実施形態の場合と異ならせてもよい。変形例２の制御部３０は、上記電源オン状態か否かの判定結果に応じて電磁アクチュエータ１６ｂへ制御信号を送る代わりに、プログラム実行部３１において上記基本プログラムを実行中（基本プログラムを終了していないこと）か否かを判定した結果に応じて、電磁アクチュエータ１６ｂへ制御信号を送る。
【００４４】
具体的には、変形例２の制御部３０は、プログラム実行部３１で上記基本プログラムを実行中（基本プログラムを終了していないこと）であることが判定部３３で判定された場合に、電磁アクチュエータ１６ｂへ制御信号を送り、係止部材１８を図４(b)、図４(c)に例示する位置（すなわち上記軌道面より突出する位置）へ移動させる。可動部１７が図４(a)に示す位置にある場合において、係止部材１８を可動部１７に付勢するに留める点は、上記第二の実施形態と同様である。
【００４５】
また、制御部３０は、上記基本プログラムを実行中であることが判定部３３によって判定されない場合に、電磁アクチュエータ１６ｂへ制御信号を送り、係止部材１８を図４(a)に例示する位置（上記軌道面より沈んだ位置）へ移動させる。
【００４６】
変形例２によれば、次の作用効果が得られる。
（１）デジタルカメラ１０は、着脱可能なメモリカード１５を用いて所定の処理を行うプログラム実行部３１と、プログラム実行部３１においてオペレーションシステムプログラムが作動中か否かを判定する判定部３３と、メモリカード１５の取り外しを阻止する位置と、メモリカード１５の取り外しを阻止しない位置との間を移動してメモリカード１５の取り外しを制限する可動部１７と、判定部３３によって作動中が判定されている場合に可動部１７をメモリカード１５の取り外しを阻止する位置に留める係止部材１８と、を備えるように構成した。これにより、オペレーションシステムプログラムを作動させていればメモリカード１５の取り外しが阻止されるので、安価な構成で、シャットダウン前のメモリカード１５の引き抜きを避け得る。
【００４７】
（２）上記（１）のデジタルカメラ１０において、可動部１７はさらに、着脱可能な電池１４の取り外しの制限を行い、係止部材１８によってメモリカード１５の取り外しを阻止する位置に留められている可動部１７が、電池１４の取り外しを阻止する位置（図４(b)）と、電池１４の取り外しを阻止しない位置（図４(c)）との間を移動可能に構成される。このため、可動部１７は、ユーザー操作によって上記２つの位置の間を動かせる。これにより、例えば、外部からデジタルカメラ１０へ通電してオペレーションシステムプログラムを作動させている場合には、メモリカード１５の引き抜きを避ける一方で、電池１４の交換を可能にし得る。
【００４８】
（３）上記（１）のデジタルカメラ１０において、係止部材１８によってメモリカード１５の取り外しを阻止する位置に留められていない可動部１７が、電池１４の取り外しを阻止しない位置（図４(a)）へ移動可能に構成される。このため、可動部１７は、ユーザー操作によって動かせる。これにより、メモリカード１５の取り外しを阻止しない状態では、電池１４の交換を自由に行える。
【００４９】
（第三の実施形態）
第三の実施形態では、スロットに装着された電池１４Ｂによって、メモリカード１５の取り外しを阻止する。図５は、電池１４Ｂの外形を例示する図であり、図５(a)は電池１４Ｂを上から見た図、図５(b)は電池１４Ｂを横から見た図である。電池１４Ｂは、電池１４Ｂを構成する面の一部が延設された凸部１４Ｃを有する。
【００５０】
図６は、第三の実施形態によるデジタルカメラの蓋１３の内部を拡大した図である。図６(a)は、電池１４Ｂがスロットへ装着された状態を表す図、図６(b)は電池１４Ｂがスロットから取り外されている状態を表す図である。図６(a)において、スロットに装着された電池１４Ｂの凸部１４Ｃがメモリカード１５のスロットを覆うことにより、メモリカード１５の取り外しを阻止する。
【００５１】
取り外し制限部材１６は、電池１４Ｂおよびメモリカード１５の双方の取り外しを阻止する位置（図６(a)に例示）と、電池１４Ｂおよびメモリカード１５の双方の取り外しを阻止しない位置（図６(b)に例示）と、の間で板状の可動部１６ａを移動させる。可動部１６ａは、例えば電磁アクチュエータ１６ｂ（図３）によって駆動される。
【００５２】
第三の実施形態の制御部３０は、上記電源オン状態（電源部２３からデジタルカメラ１０の各部へ電力供給される状態）であることが判定部３３によって判定された場合に、電磁アクチュエータ１６ｂへ制御信号を送り、可動部１６ａを図６(a)に例示する位置（電池１４Ｂの取り外しを阻止する位置）へ移動させる。この場合、電池１４Ｂの凸部１４Ｃがメモリカード１５の取り外しを阻止する。
【００５３】
第三の実施形態の制御部３０は、上記電源オン状態であることが判定部３３によって判定されない場合に、電磁アクチュエータ１６ｂへ制御信号を送り、可動部１６ａを図６(b)に例示する位置（電池１４Ｂおよびメモリカード１５の双方の取り外しを阻止しない位置）へ移動させる。
【００５４】
以上説明した第三の実施形態によれば、次の作用効果が得られる。
（１）デジタルカメラは、着脱可能なメモリカード１５を用いて所定の処理を行うプログラム実行部３１と、プログラム実行部３１を含む機器内部への通電オンと通電オフを切替る制御部３０と、メモリカード１５の取り外しを阻止する位置と、メモリカード１５の取り外しを阻止しない位置との間を移動してメモリカード１５の取り外しを制限する可動部１６ａと、制御部３０によって通電オンされている場合に可動部１６ａをメモリカード１５の取り外しを阻止する位置に留める電磁アクチュエータ１６ｂと、を備えるように構成した。これにより、通電オンされていればメモリカード１５の取り外しが阻止されるので、安価な構成で、シャットダウン前のメモリカード１５の引き抜きを避け得る。
【００５５】
（２）上記（１）のデジタルカメラにおいて、可動部１６ａはさらに、着脱可能な電池１４の取り外しの制限を行い、電磁アクチュエータ１６ｂによってメモリカード１５の取り外しを阻止する位置に留められている可動部１６ａが、電池１４の取り外しを阻止する。これにより、シャットダウン前のメモリカード１５の引き抜きを避け得る。
【００５６】
（３）上記（１）のデジタルカメラにおいて、電磁アクチュエータ１６ｂによってメモリカード１５の取り外しを阻止する位置に留められていない可動部１６ａが、電池１４の取り外しを阻止しない。このため、メモリカード１５の取り外しを阻止しない状態では、電池１４の交換を自由に行える。
【００５７】
（変形例３）
取り外し制限部材１６の可動部１６ａを移動させるタイミングを、第三の実施形態の場合と異ならせてもよい。変形例３の制御部３０は、上記電源オン状態か否かの判定結果に応じて電磁アクチュエータ１６ｂへ制御信号を送る代わりに、プログラム実行部３１において上記基本プログラムを実行中（基本プログラムを終了していないこと）か否かを判定した結果に応じて、電磁アクチュエータ１６ｂへ制御信号を送る。
【００５８】
具体的には、変形例３の制御部３０は、プログラム実行部３１で上記基本プログラムを実行中（基本プログラムを終了していないこと）であることが判定部３３で判定された場合に、電磁アクチュエータ１６ｂへ制御信号を送り、可動部１６ａを図６(a)に例示する位置（電池１４およびメモリカード１５の双方の取り外しを阻止する位置）へ移動させる。
【００５９】
また、制御部３０は、上記基本プログラムを実行中であることが判定部３３によって判定されない場合に、電磁アクチュエータ１６ｂへ制御信号を送り、可動部１６ａを図６(b)に例示する位置（電池１４およびメモリカード１５の双方の取り外しを阻止しない位置）へ移動させる。
【００６０】
変形例３によれば、次の作用効果が得られる。
（１）デジタルカメラは、着脱可能なメモリカード１５を用いて所定の処理を行うプログラム実行部３１と、プログラム実行部３１においてオペレーションシステムプログラムが作動中か否かを判定する判定部３３と、メモリカード１５の取り外しを阻止する位置と、メモリカード１５の取り外しを阻止しない位置との間を移動してメモリカード１５の取り外しを制限する可動部１６ａと、判定部３３によって作動中が判定されている場合に可動部１６ａをメモリカード１５の取り外しを阻止する位置に留める電磁アクチュエータ１６ｂと、を備えるように構成した。これにより、オペレーションシステムプログラムを作動させていればメモリカード１５の取り外しが阻止されるので、安価な構成で、シャットダウン前のメモリカード１５の引き抜きを避け得る。
【００６１】
（２）上記（１）のデジタルカメラにおいて、可動部１７はさらに、着脱可能な電池１４の取り外しの制限を行い、電磁アクチュエータ１６ｂによってメモリカード１５の取り外しを阻止する位置に留められている可動部１６ａが、電池１４の取り外しを阻止する。これにより、シャットダウン前のメモリカード１５の引き抜きを避け得る。
【００６２】
（３）上記（１）のデジタルカメラにおいて、電磁アクチュエータ１６ｂによってメモリカード１５の取り外しを阻止する位置に留められていない可動部１６ａが、電池１４の取り外しを阻止しない。これにより、メモリカード１５の取り外しを阻止しない状態では、電池１４の交換を自由に行える。
【００６３】
以上の説明はあくまで一例であり、上記の実施形態の構成に何ら限定されるものではない。
【符号の説明】
【００６４】
１０…デジタルカメラ
１３…蓋
１４、１４Ｂ…電池
１４Ｃ…凸部
１５…メモリカード
１６…取り外し制限部材
１６ａ、１７…可動部
１６ｂ…電磁アクチュエータ
１７ａ…支点
１８…係止部材
２１…操作部材
３０…制御部
３１…プログラム実行部
３３…判定部
【図１】
2015040882.tif 000003
【図２】
2015040882.tif 000004
【図３】
2015040882.tif 000005
【図４】
2015040882.tif 000006
【図５】
2015040882.tif 000007
【図６】
2015040882.tif 000008